(57)【要約】      （修正有）【課題】より広い視野のパノラマ画像を撮像できる移動通信装置を提供する。【解決手段】移動通信装置３は広角カメラレンズシステムを有し、カメラに対向するシーンの従来のビュー２及びパノラマビュー１を撮像するカメラを有する。このレンズは、従来の移動通信システムカメラの単一方向かつ固定のカメラレンズと比べて広角又はパノラマの画像を撮像するために移動通信装置の表面に埋め込まれるか突出する。表示される画像は移動通信装置のユーザにより制御され、パノラマカメラのカバレッジ範囲内の角度でシーンを見ることができる。【選択図】図１
2015228642.tif 000002
【特許請求の範囲】
【請求項１】
カメラ撮像システムを有する移動通信装置であって、
１つ以上のパノラマカメラを有する移動通信装置と、
前記移動通信装置の縁部及び／又は表面に沿って位置しており、装置筐体からの突出物により主に実現される、広角パノラマ画像又は動画を撮像する能力部、及び／又は、前記移動通信装置に対して突出、隆起又は埋め込まれたレンズの動的動作能力部と、
前記パノラマカメラにより撮像されたパノラマビューを制御するための、前記移動通信装置上で動作する任意の専用又は非専用アプリケーションを使用する制御部とを備える移動通信装置。
【請求項２】
請求項１に記載の移動通信装置であって、
カメラレンズシステムを有するパノラマカメラをさらに備え、
前記パノラマカメラは、前記移動通信装置の縦方向及び横方向において、１８０度及び／又は最大３６０度のビューを撮像可能であり、完全又は部分的な３次元の球形及び／又は３次元のパノラマの撮像／画像を作成し、
前記カメラレンズシステムは、前記１８０度及び／又は最大３６０度の、前記完全又は部分的な３次元の球形及び／又は３次元のパノラマの撮像／画像において、単数又は複数のスナップショット部分を個々に撮像可能であり、
前記撮像ビューは、前記移動通信装置のディスプレイ上に、ユーザが把握できるフォーマットで表示され、
前記１８０度及び／又は最大３６０度のカメラビュー全体から抽出された前記スナップショット部分は、前記１８０度及び／又は最大３６０度のライブカメラ範囲全体に含まれる既定の移動オブジェクト又は人物部分のスナップショットであり、
前記スナップショット部分は、前記移動通信装置又は任意の他の装置に個々のスナップショットとして保存可能であり、
前記撮像ビューの角度は、前記移動通信装置の前記ユーザによって前記パノラマビューの所定範囲内で制御され、
前記撮像ビューは、前記撮像ビュー内のある角度にだけに焦点が合っており、或いは、前記１８０度及び／又は最大３６０度ビュー全体に焦点があっており、
前記撮像ビューは、前記撮像ビュー内のある角度のみの詳細が強調されるように、ズームイン及びズームアウトされる移動通信装置。
【請求項３】
請求項１に記載の移動通信装置であって、
カメラレンズシステムを有するパノラマカメラをさらに備え、
前記カメラレンズシステムは、内包型かつ非突出状の単数又は複数のレンズユニットであり、
前記レンズユニットは、可動式又は静止式であり、
前記可動式レンズユニットは、前記移動通信装置において自動及び／又は手動で制御される移動通信装置。
【請求項４】
請求項１に記載の移動通信装置であって、
カメラレンズシステムを有するパノラマカメラをさらに備え、
前記カメラレンズシステムは、非内包型かつ非突出状の単数のレンズユニットであり、
前記レンズユニットは、可動式又は静止式であり、
前記可動式レンズユニットは、前記移動通信装置において自動及び／又は手動で制御される移動通信装置。
【請求項５】
請求項１に記載の移動通信装置であって、
カメラレンズシステムを有するパノラマカメラをさらに備え、
前記カメラレンズシステムは、内包型かつ非突出状の単数のレンズユニットであり、
前記レンズユニットは、可動式又は静止式であり、
前記可動式レンズユニットは、前記移動通信装置において自動及び／又は手動で制御される移動通信装置。
【請求項６】
請求項１に記載の移動通信装置であって、
カメラレンズシステムを有するパノラマカメラをさらに備え、
前記カメラレンズシステムは、非内包型かつ非突出状の複数のレンズユニットであり、
前記レンズユニットは、可動式又は静止式であり、
前記可動式レンズユニットは、前記移動通信装置において自動及び／又は手動で制御される移動通信装置。
【請求項７】
請求項１に記載の移動通信装置であって、
カメラレンズシステムを有するパノラマカメラをさらに備え、
前記カメラレンズシステムは、内包型かつ非突出状の複数のレンズユニットであり、
前記レンズユニットは、可動式又は静止式であり、
前記可動式レンズユニットは、前記移動通信装置において自動及び／又は手動で制御される移動通信装置。
【請求項８】
請求項１に記載の移動通信装置であって、
カメラレンズシステムを有するパノラマカメラをさらに備え、
前記カメラレンズシステムは、内包型かつ突出状の単数又は複数のレンズユニットであり、
前記内包型の突出物は、任意の形状又は大きさであってもよく、
前記レンズユニットは、可動式又は静止式であり、
前記可動式レンズユニットは、前記移動通信装置において自動及び／又は手動で制御される移動通信装置。
【請求項９】
請求項１に記載の移動通信装置であって、
カメラレンズシステムを有するパノラマカメラをさらに備え、
前記カメラレンズシステムは、非内包型かつ突出状の単数のレンズユニットであり、
前記突出物は、任意の形状又は大きさであってもよく、
前記レンズユニットは、可動式又は静止式であり、
前記可動式レンズユニットは、前記移動通信装置に対して、自動及び／又は手動で制御される移動通信装置。
【請求項１０】
請求項１に記載の移動通信装置であって、
カメラレンズシステムを有するパノラマカメラをさらに備え、
前記カメラレンズシステムは、非内包型かつ突出状の複数のレンズユニットであり、
前記突出物は、任意の形状又は大きさであってもよく、
前記レンズユニットは、可動式又は静止式であり、
前記可動式レンズユニットは、前記移動通信装置において自動及び／又は手動で制御される移動通信装置。
【請求項１１】
請求項１に記載の移動通信装置であって、
カメラレンズシステムを有するパノラマカメラをさらに備え、
前記カメラレンズシステムは、前記移動通信装置の任意の部分、縁部、表面、又は角部に設けられていてもよく、
前記カメラレンズシステムは、前記移動通信装置上の前記パノラマカメラにより現在撮像中のシーンを組み合せることによって３次元画像を表示する移動通信装置。
【請求項１２】
請求項１に記載の移動通信装置であって、
カメラレンズシステムを有するパノラマカメラをさらに備え、
前記カメラレンズシステムは、前記移動通信装置の筐体から突出しており、
カメラ突出物は、これらに限定しないが、球形、半球形、楕円形、正立方体形、立方体形、星形、任意の多角形などの規則性のある任意の形状、又は任意の不規則／規則形状であり、
カメラ突出物は、（通信装置の表面又は回転に沿って）固定式又は可動式であってもよい、移動通信装置。
【請求項１３】
請求項１に記載の移動通信装置であって、
カメラレンズシステムを有するパノラマカメラをさらに備え、
前記カメラレンズシステムは、前記移動通信装置の筐体から突出し、
前記突出物は、前記移動通信装置の前記縁部、表面、角部に固定されてもよく、又は手動の又は自動の伸縮自在性を有してもよく、
前記突出物は、前記ユーザ及び／又は任意のその他の外部（環境的、物理的、電磁的、電気的、機械的）又は内部（電話アプリケーション／ソフトウエアの）要因により引き起こされる移動通信装置。
【請求項１４】
請求項１に記載の移動通信装置であって、
カメラ撮像通信装置をさらに備え、
前記カメラレンズシステムは、前記移動通信装置の筐体から突出し、
前記突出物内に設けられており、単数又は複数のカメラレンズシステム用のセンサを有し、
前記カメラレンズシステムは、静止式であり、任意の単数又は複数の方向に向き、ジャイロスコープに応答又はジャイロスコープに非応答であり、
前記センサは、前記筐体内に設けられており、
前記突出物の筐体は、任意の透明、半透明、不透明な材料、又は、それらの材料の組み合わせで構成される移動通信装置。
【請求項１５】
請求項１に記載の移動通信装置であって、
カメラ撮像通信装置をさらに備え、
前記カメラレンズシステムは、前記移動通信装置の筐体から突出し、
前記突出物内に設けられており、単数又は複数のレンズシステム用のセンサを有し、
前記カメラレンズシステムは、可動式であり、任意の単数又は複数の方向に向き、ジャイロスコープに応答又はジャイロスコープに非応答であり、
前記センサは、前記筐体内に設けられており、
前記突出物の筐体は、任意の透明、半透明、不透明な材料、又は、それらの材料の組み合わせで構成される移動通信装置。
【発明の詳細な説明】
【技術分野】
【０００１】
本発明は、移動通信装置の分野の発明である。
【背景技術】
【０００２】
本発明は、（移動通信装置から突出している、突出していない又は隆起している）多方向性／広角カメラレンズシステムを有する移動通信装置であり、（手動で又は自動で）固定型又は伸縮型のどちらか一方であってもよく、その結果、移動通信装置のユーザは、より広い視野の錐状体を、１回の撮像で、又は移動通信装置内のソフトウエアプログラムを使うライブカメラ撮像レンズを方向付けることにより、有することできる（内包型又は非内包型の）カメラ又はカメラのシステムに関する。多方向性／広角カメラレンズシステムを有する移動通信装置は、移動通信装置の任意の部分に配置可能である。
【０００３】
移動通信装置用カメラは、２１世紀以降、様々な目的のために使用され、ますます普及し、従来の一方向性携帯カメラに取って代わろうとしている。スチール写真及びライブ動画の撮像の品質向上により、移動通信装置用カメラに対する消費者の需要が飛躍的に高まったが、これは、特に、移動通信装置用カメラが、移動通信装置用アプリケーションと統合及び／又はインターフェースで接続されたためである。移動通信装置用カメラを利用して、多数の動画／音声通信アプリケーションを用いる電話通信が改善されている。従来の移動通信装置用カメラにより、移動通信装置用カメラの潜在能力を利用するようにプログラムされた多数の移動通信装置用アプリケーション（ＡＰＰ）が可能になった。移動通信装置用カメラは、多数の移動通信装置用アプリケーションにとって、非常に重要な移動通信装置用ハードウエアの利点をもたらすことができるが、カメラレンズが固定されているという特性並びにその強固な一方向性の特徴により、潜在的にライブ画像を保存できる、移動通信装置用アプリケーションの革新及び使用が大きく制限されている。
【０００４】
しかしながら、移動通信装置用カメラの現在の使用方法は、前方対面式又は後方対面式のどちらかである固定カメラレンズの撮像アングルの能力に制限されている。この方式では、撮像錐状体が制限され、このカメラのタイプの使用は限定的である。それ故、移動通信装置及び移動通信装置用アプリケーションは、現在、この固定型一方向性カメラレンズを中心に構築されている。現在の移動通信装置で見受けられるこの一方向性カメラレンズは、その固定された錐状体内で動画フィード又は画像を撮像できるだけであり、この撮像錐状体の外側で動画又は画像を撮像するためには、ユーザは、移動通信装置を適切に傾けたり移動させたりする必要がある。これにより、撮像範囲及び更に良い技術を利用できる多数の革新的なアプリケーションという意味で、ユーザは、カメラを使用する際に制限されている。移動通信装置用カメラのユーザが写真を撮ろうとして、撮像錐状体の外側に撮像ターゲットが並んでいる場合、ユーザは、全ての撮像ターゲットが撮像錐状体内に確実に納まるように遠く離れる傾向があるが、そうすることによって、撮像ターゲットのサイズが小さくなり、結果、フレーム内で撮像ターゲットを構成する要素を特定することがますます困難になり、結果、質の低い画像又は動画が得られるという共通の問題がある。多数の移動通信装置の安全性のアプリケーションにおいて、その有効性（潜在的には、ライブ画像を保存できる）は、カメラレンズの撮像錐状体の制限に依存しているので、限定的である。多方向性／広角カメラレンズシステムを有する移動通信装置は、この問題を解決できる。
【発明の概要】
【０００５】
移動通信装置用カメラは、従来の移動通信装置の固定された一方向性カメラレンズにより実現さるビューよりも広い広角又はパノラマビューを撮像することができるように、カメラの表面を超えて突出する（内包型又は非内包型の）カメラレンズ若しくはレンズシステム、又は（内包型又は非内包型の）移動通信装置の本体内に埋め込まれたカメラレンズのシステムを通してパノラマビューを撮像できるシステムである。本システムでカバーされる角度により、より広角な動画、ライブ動画、静止画の撮像が可能になる。また、それにより、移動通信装置用アプリケーションにおいて、カメラレンズのビューポジションをパン及びセットする多方向性／広角カメラレンズシステムを有する移動通信装置の能力を利用するソフトウエアアプリケーションが革新されることとなる。
【図面の簡単な説明】
【０００６】
図１は、装置の側部から見た時の、多方向性／広角カメラレンズシステムを有する移動通信装置のカメラレンズの撮像角度のビデオ及びカメラを、従来の移動通信装置用カメラの撮像角度と比較して示す。
【０００７】
図２は、装置の上部及び底部から見た時の、多方向性／広角カメラレンズシステムを有する移動通信装置のカメラレンズの撮像角度のビデオ及びカメラを、従来の移動通信装置用カメラの撮像角度と比較して示し、図２ａ及び２ｂは、装置の側部及び装置の底部／上部からそれぞれ見た時の、多方向性／広角カメラレンズシステムを有する移動通信装置の最大３６０度の範囲を示す。
【０００８】
図３は、任意の形状寸法又は形態の透明、半透明、又は不透明な筐体内に全て内包される可動式（自動及び／又は手動制御）又は静止式であってもよい、突出状／隆起状の単数の又は複数のカメラレンズシステムを示す。
【０００９】
図４は、可動式（自動及び／又は手動制御）又は静止式であってもよい、内包されない、突出状／隆起状の単数のレンズシステムを示す。
【００１０】
図５は、可動式（自動及び／又は手動制御）又は静止式であってもよい、内包されない、突出状／隆起状の複数レンズシステムを示す。
【００１１】
図６は、任意の形状寸法又は形態の透明、半透明、又は不透明な平坦／半隆起状の筐体内に全て内包される可動式（自動及び／又は手動制御）であってもよい、非突出状／非隆起状の単数の又は複数のカメラレンズシステムを示す。
【００１２】
図７は、可動式（自動及び／又は手動制御）であってもよい、内包されない、非突出状／非隆起状の単数のレンズシステムを示す。
【００１３】
図８は、可動式（自動及び／又は手動制御）又は静止式であってもよい、内包されない、非突出状／非隆起状の複数のレンズシステムを示す。
【００１４】
図９は、移動通信装置の側部周辺部/縁部に沿う任意の場所に統合された球体の（又は任意の他の形状の）カメラレンズシステムを有する移動通信装置を示す。
【００１５】
図１０は、移動通信装置の側部周辺部/縁部に沿う任意の場所に統合された任意の形状の突出状のカメラレンズシステムを有する移動通信装置を示す。
【００１６】
図１１は、移動通信装置の角部に統合された、２つの球体の（又は任意の他の形状の）突出状のカメラレンズシステムを有する移動通信装置を示す。
【００１７】
図１２は、移動通信装置の角部に統合された、２つの面一の（又は任意の他の形状の）カメラレンズシステムを有する移動通信装置を示す。
【発明の詳細な説明】
【００１８】
本発明は、カメラレンズを位置変更及び／又は自動化することにより、より広角のカメラビュー能力を装置に付与することに関する、多方向性／広角カメラレンズシステムを有する移動通信装置である。これは、自動的又は非自動的に、移動通信装置の本体を超えてレンズを突出させ、又は複数の全方向性静止式レンズ又は単数の可動式レンズを突出させずに備えることによるような方法でなされ、従来の一方向性固定レンズ移動通信装置用カメラでは本来不可能であった、より広角な動画フィード又は画像を、装置のユーザが撮像可能になる。
【００１９】
撮像されたパノラマビューは、移動通信装置からディスプレイのユーザ／リーダ／ビューアが望むように読み取り可能なフォーマットで、ユーザ装置に表示される。表示される画像はまた、移動通信装置のユーザにより制御され、パノラマカメラの正反対ではないが、そのカバレッジ範囲内の角度でシーンを見ることができる。
【００２０】
移動通信装置のビューはまた、ユーザがディスプレイに対して行う指のジェスチャ及び／又は移動通信装置の制御により移動させることも可能である。
【００２１】
ビューはまた、設定された制限内でズームできるので、ユーザは、装置のパノラマカメラを位置付けた角度を見ることができる。
【００２２】
多方向性／広角カメラレンズシステムを有する移動通信装置の本発明は、添付の図面を参照して主として説明される。
【００２３】
図１では、ユーザが、現在撮像中のシーンを見る選択をしている範囲又はパノラマビュー内のシーンの角度に応じて、移動通信装置に表示される、従来の移動通信装置の撮像角度２と比較して、多方向性／広角カメラレンズシステムを有する移動通信装置１のパノラマ撮像角度を有する移動通信装置３の横向きの側面図を示す。そして、ユーザは、自身のニーズに合わせて表示されるビューのズームイン及びズームアウトが可能である。
【００２４】
図２は、ユーザが、現在撮像中のシーンを見る選択をしている範囲又はパノラマビュー内のシーンの角度に応じて、移動通信装置に表示される、従来の移動通信装置の撮像角度２と比較して、多方向性／広角カメラレンズシステムを有する移動通信装置１のパノラマ撮像角度を有する移動通信装置４の縦向きの側面図を示す。そして、ユーザは、自身のニーズに合わせて表示されるビューのズームイン及びズームアウトが可能である。図２ａは、多方向性／広角カメラレンズシステムを有する移動通信装置の周囲最大３６０度ビューまでカバーする多方向性／広角カメラレンズシステムを有する移動通信装置１のパノラマ撮像角度を有する移動通信装置３の横向きの側面図を示す。図２ｂは、多方向性／広角カメラレンズシステムを有する移動通信装置の周囲最大３６０度までカバーする多方向性／広角カメラレンズシステムを有する移動通信装置１のパノラマ撮像角度を有する移動通信装置４の縦向きの側面図を示す。
【００２５】
図３は、移動通信装置の前部５と、移動通信装置の背部又は後部６と、任意の形状寸法又は形態の透明、半透明、又は不透明の筐体内に全て内包される可動式（自動及び／又は手動制御）又は静止式であってもよい、突出状／隆起状の単数の又は複数のカメラレンズシステム７と、を示す。
【００２６】
図４は、移動通信装置の前部５と、移動通信装置の背部又は後部６と、可動式（自動及び／又は手動制御）又は静止式であってもよく、筐体内に閉じ込められない突出状／隆起状の単数のカメラレンズシステム８と、を示す。
【００２７】
図５は、移動通信装置の前部５と、移動通信装置の背部又は後部６と、可動式（自動及び／又は手動制御）又は静止式であってもよく、筐体内に閉じ込められない突出状／隆起状の単数のカメラレンズシステム８と、を示す。
【００２８】
図６は、移動通信装置の前部５と、移動通信装置の背部又は後部６と、任意の形状寸法又は形態の透明、半透明、又は不透明な平坦／半隆起状の筐体内に全て内包される可動式（自動及び／又は手動制御）であり、非突出状／非隆起状の単数の又は複数のカメラレンズシステム１０と、を示す。
【００２９】
図７は、移動通信装置の前部５と、移動通信装置の背部又は後部６と、可動式（自動及び／又は手動制御）であり、筐体内に閉じ込められない非突出状／非隆起状の単数のカメラレンズシステム１１と、を示す。
【００３０】
図８は、移動通信装置の前部５と、移動通信装置の背部又は後部６と、可動式（自動及び／又は手動制御）であり、筐体内に閉じ込められない非突出状／非隆起状の複数のカメラレンズシステム１２と、を示す。
【００３１】
図９は、移動通信装置の前部５と、移動通信装置の背部又は後部６と、移動通信装置の側部の球体の突出状のカメラレンズシステムの結合１３及び可能な配置位置１４と、を示す。
【００３２】
図１０は、移動通信装置の前部５と、移動通信装置の背部又は後部６と、移動通信装置の側部の突出状のカメラレンズシステムの結合１５及び可能な配置位置１６と、を示す。
【００３３】
図１１は、移動通信装置の前部５と、移動通信装置の背部又は後部６と、移動通信装置の縁部に突出するカメラレンズシステムの結合１７及び可能な配置１８と、を示す。
【００３４】
図１２は、移動通信装置の前部５と、移動通信装置の背部又は後部６と、移動通信装置の（複数の）面／（複数の）角部に配置されているカメラレンズシステムの結合１９と、を示す。
【図１】
2015228642.tif 000003
【図２】
2015228642.tif 000004
【図２ａ】
2015228642.tif 000005
【図２ｂ】
2015228642.tif 000006
【図３】
2015228642.tif 000007
【図４】
2015228642.tif 000008
【図５】
2015228642.tif 000009
【図６】
2015228642.tif 000010
【図７】
2015228642.tif 000011
【図８】
2015228642.tif 000012
【図９】
2015228642.tif 000013
【図１０】
2015228642.tif 000014
【図１１】
2015228642.tif 000015
【図１２】
2015228642.tif 000016
【外国語明細書】
2015228642000001.pdf
2015228642000002.pdf
2015228642000003.pdf
2015228642000004.pdf